(57)【要約】【課題】  記録ヘッドの各記録素子をセグメント単位で駆動するインクジェット記録装置において、ノイズやエラーシーケンスによって不必要なタイミングで記録ヘッドが駆動された場合の誤動作や記録ヘッドに余計な負荷がかかることを防止する。【解決手段】  記録ヘッドの記録動作に係わる駆動が終了する際に、ブロック指定を解除する信号を意図的に入力する。【選択図】    図５
2006159574.tif 000002
【特許請求の範囲】
【請求項１】
複数の記録素子を複数のブロックに分割し、各ブロックを時分割駆動して記録媒体に記録を行なう記録ヘッドであって、
外部から入力される選択信号に基づいて、前記複数のブロックのいずれかを選択する第１の選択回路と、
外部から入力される記録信号に基づいて、前記選択されたブロックに属する記録素子を選択する第２の選択回路と、
外部から入力されるヒートイネーブル信号に基づいて、前記第１及び第２の選択回路により選択された記録素子を駆動する駆動回路とを有し、
前記駆動回路により記録素子を駆動した後に、前記第１の選択回路によって選択されたブロックの指定を解除することを特徴とする記録ヘッド。
【請求項２】
前記ブロックの指定の解除は、記録素子を駆動するために入力された選択信号の後に入力される選択信号によって示される値に基づいてなされることを特徴とする請求項１に記載の記録ヘッド。
【請求項３】
前記選択信号に続いて外部から入力される指示信号に基づいて、前記第１の選択回路から出力される前記複数のブロックのいずれかを選択するための指定信号と該指定信号による選択を解除するための解除信号とのいずれかを選択して前記駆動回路に出力するセレクタをさらに有し、
前記解除信号は前もって前記セレクタに設定しておくことを特徴とする請求項１に記載の記録ヘッド。
【請求項４】
前記記録ヘッドは、インクを吐出して記録を行うインクジェット記録ヘッドであることを特徴とする請求項１乃至３のいずれかに記載の記録ヘッド。
【請求項５】
前記インクジェット記録ヘッドは、熱エネルギーを利用してインクを吐出するために、インクに与える熱エネルギーを発生するための電気熱変換体を備えていることを特徴とする請求項４に記載の記録ヘッド。
【請求項６】
請求項１乃至５のいずれかに記載の記録ヘッドと該記録ヘッドに供給するためのインクを貯留したインクタンクとを有することを特徴とするヘッドカートリッジ。
【請求項７】
請求項１乃至５のいずれかに記載の記録ヘッド或いは請求項６に記載のヘッドカートリッジを用いて記録を行う記録装置であって、
前記記録ヘッドに前記選択信号と前記記録信号とを送信して前記記録ヘッドを駆動して記録動作を行わせた後に、前記ブロックの指定を解除するための信号を生成して送信する信号生成送信手段を有することを特徴とする記録装置。
【請求項８】
複数の記録素子を備えた記録ヘッドを時分割駆動する記録ヘッド駆動方法であって、
前記複数の記録素子を分割することで得られる複数のブロックのいずれかを選択するための選択信号と、前記選択されたブロックに属し駆動される記録素子を選択するための記録信号とを送信する信号送信工程と、
前記信号送信工程において送信された選択信号と記録信号とを前記記録ヘッド内部にラッチさせるラッチ工程と、
ヒートイネーブル信号を送信し、前記ラッチ工程においてラッチされた前記選択信号と前記記録信号とによって選択された記録素子を駆動する駆動工程と、
前記駆動工程における記録素子の駆動後に、前記選択信号により選択されたブロックの指定を解除する解除工程とを有することを特徴とする記録ヘッド駆動方法。
【請求項９】
前記解除工程における解除は、前記駆動工程における記録素子の駆動後に送信する前記選択信号が示す値に基づいてなされることを特徴とする請求項８に記載の記録ヘッド駆動方法。
【請求項１０】
前記解除工程における解除は、前記選択信号に続いて送信された指示信号に基づいて、前もって前記記録ヘッドに格納された前記ブロックの指定を解除させる信号を発信することにより行うことを特徴とする請求項８に記載の記録ヘッド駆動方法。
【発明の詳細な説明】
【技術分野】
【０００１】
本発明は記録ヘッド、ヘッドカートリッジ、及び、記録装置に関し、特に、例えば、インクジェット方式に従って記録を行う記録ヘッド、その記録ヘッドを用いたヘッドカートリッジ、記録ヘッド駆動方法、及び、その記録ヘッド或いはヘッドカートリッジを用いた記録装置に関する。
【背景技術】
【０００２】
インクジェット記録ヘッド（以下、記録ヘッド）を用いた記録では、一般に、記録装置本体から送信される記録信号に応じてセグメントが指定され、ヒートイネーブル信号が有効になって各記録素子が駆動され、インクがノズルから吐出されるという動作を繰り返し行うことにより、記録媒体に画像を記録する。
【０００３】
図８は従来の記録ヘッドの一般的な回路基板の構成を示す図である。
【０００４】
この図は４３２個のセグメント（Seg1〜Seg432）とヒータ（H1〜H432）とＡＮＤ回路（A1〜A432）を備え、夫々に１８個ずつのセグメントを備えた２４個のブロックからなり時分割にセグメントを駆動する回路基板１００の例を示している。
【０００５】
さらに、回路基板１００にはパッド８を介して入力されるクロック信号（ＤＣＬＫ）に同期してパッド９から入力されるセグメント選択信号とブロック選択信号とからなる記録信号（ＤＡＴＡ）を一時的に格納するシフトレジスタ１０１と、シフトレジスタ１０１に入力されたセグメント選択信号とブロック選択信号をパッド１０を介して入力されたラッチ信号（ＬＴ）によりラッチするラッチ回路１０２と、ラッチされたブロック選択信号を入力してブロック指定番号をデコードするデコーダ１０３とを備えている。
【０００６】
そして、ＡＮＤ回路（A1〜A432）では、パッド１１を介して入力されるヒートイネーブル信号（ＨＥ）と、デコーダ１０３から出力されるブロック指定信号（ＢＬＥ０〜ＢＬＥ２３）と、ラッチ回路１０２から出力されるセグメント選択信号（ＬＴ０〜ＬＴ１７）との論理積をとり、駆動するセグメントを指定する。これによって、ヒータが駆動加熱されることによってセグメントに対応したノズル（不図示）よりインクが吐出される。
【０００７】
なお、図８において、点線で囲まれたセグメントとヒータの集合体を記録要素部１０４という。
【０００８】
図９はシフトレジスタへの記録信号入力のタイミングチャートである。
【０００９】
図９に示されるように、入力される記録信号（ＤＡＴＡ）は、セグメント選択信号（ＬＴ０〜ＬＴ１７）に対応している部分と、ブロック指定信号（ＢＬＥ０〜ＢＬＥ２３）を生成するために用いるブロック選択信号（ＢＥ０〜ＢＥ４）から構成されている。１セットの記録信号がすべて入力されたなら、ラッチ信号（ＬＴ）がラッチ回路１０２に転送され、入力記録信号が保持される。
【００１０】
さて、５ビットからなるブロック選択信号（ＢＥ０〜ＢＥ４）はラッチ回路１０２を経てデコーダ１０３に入力され、２４ブロックの内の１ブロックを指定するブロック指定信号として出力される。
【００１１】
図１０に記録信号（ＤＡＴＡ）とラッチ信号（ＬＴ）とヒートイネーブル（ＨＥ）信号との関係を示すタイミングチャートである。
【００１２】
図１０に示されているように、セグメント選択信号（ＬＴ０〜ＬＴ１７）とブロック選択信号（ＢＥ０〜ＢＥ４）を受信し、ラッチ信号（ＬＴ）が有効になることで、ラッチ回路１０２に記録信号が保持状態となる。そして、ヒートイネーブル信号（ＨＥ）が有効になることで、記録ヘッドの選択されたセグメントが駆動され、インクが吐出する。
【００１３】
このような一連の動作により、記録ヘッドの駆動が終了すると、ヒート終了割込み信号（ＨＥ＿ＩＮＴ）の有効期間の後、セグメント選択信号とブロック指定信号が再び記録ヘッドに転送され、ヒートイネーブル信号を再び有効にして記録ヘッドを駆動する。このような動作を繰り返すことによって記録媒体にインクを吐出し記録が実行される。
【特許文献１】特開２００４−１２２７５７号公報
【発明の開示】
【発明が解決しようとする課題】
【００１４】
しかしながら、従来の記録ヘッド駆動の方法では次のデータを受信しラッチするまで前回の選択セグメントが保持されたままの状態が維持される。
【００１５】
従って、このような状態の時、ノイズの影響や誤ったシーケンスによってヒートイネーブル信号が有効になってしまうと、記録動作として必要な時以外にも記録ヘッドが駆動されてしまい、通常のインクの吐出タイミング以外のタイミングで、選択されているセグメントが駆動されてしまい、インクの異常吐出が発生したり、記録ヘッドそのものに必要以上の負荷がかかってしまうという問題がある。
【００１６】
これは、記録品質の低下や記録ヘッドの寿命を短くすることにもつながる。
【００１７】
本発明は上記問題点に鑑みてなされたもので、ノイズや誤ったシーケンスの影響を受けても動作異常が発生せず、良好な記録を行うとともに、負荷の小さくすることが可能なインクジェット方式に従って記録を行う記録ヘッド、その記録ヘッドを用いたヘッドカートリッジ、記録ヘッド駆動方法、及び、その記録ヘッド或いはヘッドカートリッジを用いた記録装置を提供することを目的としている。
【課題を解決するための手段】
【００１８】
上記目的を達成するために本発明の記録ヘッドは、以下のような構成からなる。
【００１９】
即ち、複数の記録素子を複数のブロックに分割し、各ブロックを時分割駆動して記録媒体に記録を行なう記録ヘッドであって、外部から入力される選択信号に基づいて、前記複数のブロックのいずれかを選択する第１の選択回路と、外部から入力される記録信号に基づいて、前記選択されたブロックに属する記録素子を選択する第２の選択回路と、外部から入力されるヒートイネーブル信号に基づいて、前記第１及び第２の選択回路により選択された記録素子を駆動する駆動回路とを有し、前記駆動回路により記録素子を駆動した後に前記第１の選択回路によって選択されたブロックの指定を解除することを特徴とする。
【００２０】
なお、前記ブロックの指定の解除は、記録素子を駆動するために入力された選択信号の後に入力される選択信号によって示される値に基づいてなされても良いし、或いは、前記選択信号に続いて外部から入力される指示信号に基づいて、第１の選択回路から出力される複数のブロックのいずれかを選択するための指定信号と前もって設定された指定信号による選択を解除するための解除信号とのいずれかを選択して駆動回路に出力するセレクタをさらに備えて実現しても良い。
【００２１】
なお、前記記録ヘッドは、インクを吐出して記録を行うインクジェット記録ヘッドであり、そのインクジェット記録ヘッドは、熱エネルギーを利用してインクを吐出するために、インクに与える熱エネルギーを発生するための電気熱変換体を備えていることが望ましい。
【００２２】
また他の発明によれば、上記構成の記録ヘッドとその記録ヘッドに供給するためのインクを貯留したインクタンクとを有することを特徴とするヘッドカートリッジを備える。
【００２３】
さらに他の発明によれば、上記構成の記録ヘッド或いはヘッドカートリッジを用いて記録を行う記録装置であって、前記記録ヘッドに前記選択信号と前記記録信号とを送信して前記記録ヘッドを駆動して記録動作を行わせた後に、前記ブロックの指定を解除するための信号を生成して送信する信号生成送信手段を有することを特徴とする記録装置を備える。
【００２４】
またさらに他の発明によれば、複数の記録素子を備えた記録ヘッドを時分割駆動する記録ヘッド駆動方法であって、前記複数の記録素子を分割することで得られる複数のブロックのいずれかを選択するための選択信号と、前記選択されたブロックに属し駆動される記録素子を選択するための記録信号とを送信する信号送信工程と、前記信号送信工程において送信された選択信号と記録信号とを前記記録ヘッド内部にラッチさせるラッチ工程と、ヒートイネーブル信号を送信し、前記ラッチ工程においてラッチされた前記選択信号と前記記録信号とによって選択された記録素子を駆動する駆動工程と、前記駆動工程における記録素子の駆動後に、前記選択信号により選択されたブロックの指定を解除する解除工程とを有することを特徴とする記録ヘッド駆動方法を備える。
【発明の効果】
【００２５】
従って本発明によれば、記録素子の駆動後にはブロックの選択が解除されるので、たとえノイズ混入などによる誤動作が発生してヒートイネーブル信号がオンなったときでも、記録ヘッドが誤って駆動されることがなく、正常な記録動作以外で記録ヘッドに余分の負荷をかけることなとがないという効果がある。
【００２６】
これにより、記録ヘッドの駆動に対する信頼性が高まり、記録ヘッドの誤動作による記録品質の低下が防止されるとともに、記録ヘッドの長寿命化にも貢献する。
【発明を実施するための最良の形態】
【００２７】
以下添付図面を参照して本発明の好適な実施例について、さらに具体的かつ詳細に説明する。
【００２８】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２９】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３０】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００３１】
またさらに、「ノズル」とは、特にことわらない限り吐出口ないしこれに連通する液路およびインク吐出に利用されるエネルギーを発生する素子を総括して言うものとする。
【００３２】
＜インクジェット記録装置の説明（図１）＞
図１は本発明の代表的な実施形態であるインクジェット記録装置の構成の概要を示す外観斜視図である。
【００３３】
図１に示すように、インクジェット記録装置（以下、記録装置という）は、インクジェット方式に従ってインクを吐出して記録を行なう記録ヘッド３を搭載したキャリッジ２にキャリッジモータＭ１によって発生する駆動力を伝達機構４より伝え、キャリッジ２を矢印Ａ方向に往復移動させるとともに、例えば、記録紙などの記録媒体Ｐを給紙機構５を介して給紙し、記録位置まで搬送し、その記録位置において記録ヘッド３から記録媒体Ｐにインクを吐出することで記録を行なう。
【００３４】
また、記録ヘッド３の状態を良好に維持するためにキャリッジ２を回復装置１０の位置まで移動させ、間欠的に記録ヘッド３の吐出回復処理を行う。
【００３５】
記録装置１のキャリッジ２には記録ヘッド３を搭載するのみならず、記録ヘッド３に供給するインクを貯留するインクカートリッジ６を装着する。インクカートリッジ６はキャリッジ２に対して着脱自在になっている。
【００３６】
図１に示した記録装置はカラー記録が可能であり、そのためにキャリッジ２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００３７】
さて、キャリッジ２と記録ヘッド３とは、両部材の接合面が適正に接触されて所要の電気的接続を達成維持できるようになっている。記録ヘッド３は、記録信号に応じてエネルギーを印加することにより、複数の吐出口からインクを選択的に吐出して記録する。特に、この実施形態の記録ヘッド３は、熱エネルギーを利用してインクを吐出するインクジェット方式を採用し、熱エネルギーを発生するために電気熱変換体を備え、その電気熱変換体に印加される電気エネルギーが熱エネルギーへと変換され、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００３８】
図１に示されているように、キャリッジ２はキャリッジモータＭ１の駆動力を伝達する伝達機構４の駆動ベルト７の一部に連結されており、ガイドシャフト１３に沿って矢印Ａ方向に摺動自在に案内支持されるようになっている。従って、キャリッジ２は、キャリッジモータＭ１の正転及び逆転によってガイドシャフト１３に沿って往復移動する。また、キャリッジ２の移動方向（矢印Ａ方向）に沿ってキャリッジ２の絶対位置を示すためのスケール８が備えられている。この実施形態では、スケール８は透明なＰＥＴフィルムに必要なピッチで黒色のバー（スリット）を印刷したものを用いており、その一方はシャーシ９に固着され、他方は板バネ（不図示）で支持されている。そして、キャリッジ２にはスケール８のスリットを読み取るためのエンコーダ（不図示）が設けられている。
【００３９】
また、記録装置には、記録ヘッド３の吐出口（不図示）が形成された吐出口面に対向してプラテン（不図示）が設けられており、キャリッジモータＭ１の駆動力によって記録ヘッド３を搭載したキャリッジ２が往復移動されると同時に、記録ヘッド３に記録信号を与えてインクを吐出することによって、プラテン上に搬送された記録媒体Ｐの全幅にわたって記録が行われる。
【００４０】
さらに、図１において、１４は記録媒体Ｐを搬送するために搬送モータＭ２によって駆動される搬送ローラ、１５はバネ（不図示）により記録媒体Ｐを搬送ローラ１４に当接するピンチローラ、１６はピンチローラ１５を回転自在に支持するピンチローラホルダ、１７は搬送ローラ１４の一端に固着された搬送ローラギアである。そして、搬送ローラギア１７に中間ギア（不図示）を介して伝達された搬送モータＭ２の回転により、搬送ローラ１４が駆動される。
【００４１】
またさらに、２０は記録ヘッド３によって画像が形成された記録媒体Ｐを記録装置外ヘ排出するための排出ローラであり、搬送モータＭ２の回転が伝達されることで駆動されるようになっている。なお、排出ローラ２０は記録媒体Ｐをバネ（不図示）により圧接する拍車ローラ（不図示）により当接する。２２は拍車ローラを回転自在に支持する拍車ホルダである。
【００４２】
またさらに、記録装置には、図１に示されているように、記録ヘッド３を搭載するキャリッジ２の記録動作のための往復運動の範囲外（記録領域外）の所望位置（例えば、ホームポジションに対応する位置）に、記録ヘッド３の吐出不良を回復するための回復装置１０が配設されている。
【００４３】
回復装置１０は、記録ヘッド３の吐出口面をキャッピングするキャッピング機構１１と記録ヘッド３の吐出口面をクリーニングするワイピング機構１２を備えており、キャッピング機構１１による吐出口面のキャッピングに連動して回復装置内の吸引手段（吸引ポンプ等）により吐出口からインクを強制的に排出させ、それによって、記録ヘッド３のインク流路内の粘度の増したインクや気泡等を除去するなどの吐出回復処理を行う。
【００４４】
また、非記録動作時等には、記録ヘッド３の吐出口面をキャッピング機構１１によるキャッピングすることによって、記録ヘッド３を保護するとともにインクの蒸発や乾燥を防止することができる。一方、ワイピング機構１２はキャッピング機構１１の近傍に配され、記録ヘッド３の吐出口面に付着したインク液滴を拭き取るようになっている。
【００４５】
これらキャッピング機構１１及びワイピング機構１２により、記録ヘッド３のインク吐出状態を正常に保つことが可能となっている。
【００４６】
＜インクジェット記録装置の制御構成（図２）＞
図２は図１に示した記録装置の制御構成を示すブロック図である。
【００４７】
図２に示すように、コントローラ６００は、ＭＰＵ６０１、後述する制御シーケンスに対応したプログラム、所要のテーブル、その他の固定データを格納したＲＯＭ６０２、キャリッジモータＭ１の制御、搬送モータＭ２の制御、及び、記録ヘッド３の制御のための制御信号を生成する特殊用途集積回路（ＡＳＩＣ）６０３、画像データの展開領域やプログラム実行のための作業用領域等を設けたＲＡＭ６０４、ＭＰＵ６０１、ＡＳＩＣ６０３、ＲＡＭ６０４を相互に接続してデータの授受を行うシステムバス６０５、以下に説明するセンサ群からのアナログ信号を入力してＡ／Ｄ変換し、デジタル信号をＭＰＵ６０１に供給するＡ／Ｄ変換器６０６などで構成される。
【００４８】
また、図２において、６１０は画像データの供給源となるコンピュータ（或いは、画像読取り用のリーダやデジタルカメラなど）でありホスト装置と総称される。ホスト装置６１０と記録装置１との間ではインタフェース（Ｉ／Ｆ）６１１を介して画像データ、コマンド、ステータス信号等を送受信する。
【００４９】
さらに、６２０はスイッチ群であり、電源スイッチ６２１、プリント開始を指令するためのプリントスイッチ６２２、及び記録ヘッド３のインク吐出性能を良好な状態に維持するための処理（回復処理）の起動を指示するための回復スイッチ６２３など、操作者による指令入力を受けるためのスイッチから構成される。６３０はホームポジションｈを検出するためのフォトカプラなどの位置センサ６３１、環境温度を検出するために記録装置の適宜の箇所に設けられた温度センサ６３２等から構成される装置状態を検出するためのセンサ群である。
【００５０】
さらに、６４０はキャリッジ２を矢印Ａ方向に往復走査させるためのキャリッジモータＭ１を駆動させるキャリッジモータドライバ、６４２は記録媒体Ｐを搬送するための搬送モータＭ２を駆動させる搬送モータドライバである。
【００５１】
ＡＳＩＣ６０３は、記録ヘッド３による記録走査の際に、ＲＡＭ６０２の記憶領域に直接アクセスしながら記録ヘッドに対して記録素子（吐出ヒータ）の駆動データ（ＤＡＴＡ）を転送する。
【００５２】
キャリッジ２に装着されているエンコーダ２ａからのエンコーダ信号は位置検出機構６４１を経てコントローラ６００のＭＰＵ６０１へと転送される。
【００５３】
なお、上述のように、インクカートリッジ６と記録ヘッド３と分離可能に構成しても良いが、これらが一体的に形成されて交換可能なヘッドカートリッジＩＪＣを構成しても良い。
【００５４】
図３は、インクタンクと記録ヘッドとが一体的に形成されたヘッドカートリッジＩＪＣの構成を示す外観斜視図である。図３において、点線ＫはインクタンクＩＴと記録ヘッドＩＪＨの境界線である。ヘッドカートリッジＩＪＣにはこれがキャリッジ２に搭載されたときには、キャリッジ２側から供給される電気信号を受け取るための電極（不図示）が設けられており、この電気信号によって、前述のように記録ヘッドＩＪＨが駆動されてインクが吐出される。
【００５５】
なお、図３において、５００はインク吐出口列である。また、インクタンクＩＴにはインクを保持するために繊維質状もしくは多孔質状のインク吸収体が設けられている。
【００５６】
以下、上記の構成の記録装置に搭載される、本発明に従う記録ヘッドとその記録ヘッドの駆動方法の実施例について説明する。
【実施例１】
【００５７】
図４は本発明の実施例１に従う記録ヘッドの回路基板の構成と記録装置側のヘッド駆動制御に係わる構成の機能ブロックとを示す図である。
【００５８】
なお、図４において、既に従来例で説明したのと同じ構成要素や同じ信号には同じ参照番号や参照記号を付し、その説明は省略する。
【００５９】
この実施例では、ＲＡＭ６０４に定義された画像メモリ７００に格納されている記録データをＭＰＵ６０１とＡＳＩＣ６０３により機能的に構成されるデータ生成部７０１が読み出し、記録信号（ＤＡＴＡ）として生成し、これを記録ヘッド３の回路基板１００に転送する。一方、この実施例に従う記録ヘッドの回路基板には、図８で説明した従来例と同様に、夫々に１８個ずつのセグメントを備えた２４個のブロックからなり時分割にセグメントを駆動する構成の回路が備えられ、従来例と同様に、セグメント選択信号（ＬＴ０〜ＬＴ１７）とブロック選択信号（ＢＥ０〜ＢＥ４）から構成される記録信号（ＤＡＴＡ）がクロック信号（ＤＣＬＫ）に同期してシフトレジスタ１０１に入力される。そして、１セットの記録信号がすべて入力されたなら、ラッチ信号（ＬＴ）がラッチ回路１０２に転送され、入力記録信号が保持される。
【００６０】
そして、ラッチ回路１０２にラッチされた記録信号（ＤＡＴＡ）からノズル選択信号生成部１０５ではセグメント選択信号（ＬＴ０〜ＬＴ１７）を生成し、ヘッドブロック選択信号生成部１０６では選択ブロックを指定するブロック指定信号（ＢＬＥ０〜２３）を生成し、これら信号をヘッド駆動信号生成部１０７に転送する。ヘッドブロック選択信号生成部１０６には従来例で示したデコーダも含まれる。
【００６１】
さて、エンコーダ２ａにより得られた記録ヘッド３の位置情報は位置検出機構６４１を介してＭＰＵ６０１とＡＳＩＣ６０３により機能的に構成されるヘッド位置制御部７０２に送られ、その位置情報に基づいてヒートイネーブル信号（ＨＥ）が生成され、記録ヘッド３の回路基板１００に転送される。
【００６２】
セグメント選択信号（ＬＴ０〜ＬＴ１７）とブロック指定信号（ＢＬＥ０〜２３）とにより駆動するセグメントを選択し、ヒートイネーブル信号（ＨＥ）が有効になれば、その選択されたセグメントが駆動される。
【００６３】
図５は記録ヘッドの駆動シーケンスを示すタイムチャートである。
【００６４】
データ生成部７０１からシリアル信号としてシフトレジスタ１０１に転送された１セットの記録信号（即ち、ＬＴ０〜ＬＴ１７で１８ビット、ＢＥ０〜ＢＥ４で５ビットの計２３ビット）がそろった時点で、ラッチ信号（ＬＴ）によって２３ビットの記録信号がラッチ回路１０２にラッチされる。従来例で説明したようなシーケンスで選択されたセグメントのヒータが駆動され、インクを吐出する。
【００６５】
その後、この実施例では、図５に示すように、ヒート終了割り込み信号（ＨＥ＿ＩＮＴ）を記録装置から記録ヘッド３に送出した後（図５の５０１）、シフトレジスタ１０１にブロック選択信号（ＢＥ０〜ＢＥ４）を再び送信する（図５の５０２）。このときのブロック選択信号は、全てのブロック指定信号（ＢＬＥ０〜ＢＬＥ２３）に対応しないデコード出力を発生させる信号とする。
【００６６】
ブロック選択信号は５ビット信号なので、３２通りの組み合わせを持ち、２４個のブロックを指定するほかに、どの領域をも示さない信号を発生させることができる。従って、この実施例では、全てのブロック指定信号（ＢＬＥ０〜ＢＬＥ２３）に対応しないビット列をもったブロック選択信号を記録ヘッドに転送し、その後、ラッチ信号を転送して、これをラッチ回路にラッチさせる（図５の５０３）。これにより、ブロック指定信号はどのブロックも選択していない状態となる。
【００６７】
以上説明したようにこの実施例に従えば、一連の記録動作終了後に記録ヘッドのいずれのブロックをも選択しない状態を作り出すことので、たとえ偶発的にヒートイネーブル信号が有効になったとしても、記録ヘッドのセグメントが誤って駆動されることを防止できる。これにより、偶発的にインクが吐出して記録品質を劣化させたりすることや、記録ヘッドに余分な負荷をかけることが防止され、高品質な記録と記録ヘッドの長寿命化に貢献できる。
【実施例２】
【００６８】
ここでは、どのブロックも選択しないブロック選択信号をより速く入力する例について説明する。
【００６９】
図６はこの実施例に従う記録ヘッドの回路基板の構成と記録装置側のヘッド駆動制御に係わる構成の機能ブロックとを示す図である。
【００７０】
図７は記録ヘッドの駆動シーケンスを示すタイムチャートである。
【００７１】
なお、図６〜図７において、既に従来例や実施例１で説明したのと同じ構成要素や同じ信号には同じ参照番号や参照記号を付し、その説明は省略し、ここでは、この実施例の特徴についてのみ説明する。  
図７から分かるように、記録信号（ＤＡＴＡ）をクロック信号（ＤＣＬＫ）に同期してシフトレジスタ１０１に入力する際、セグメント選択信号（ＬＴ０〜ＬＴ１７）とブロック選択信号（ＢＥ０〜ＢＥ４）に続いて、選択セグメントの駆動終了後にいずれのブロックも選択しないかどうかを決める信号（ＢＬＳＥＬ）を付加して入力する（図７の８０１）。
【００７２】
この信号（ＢＬＳＥＬ）はラッチ信号（ＬＴ）によりラッチ回路１０２にラッチされる（図７の８０２）。そして、この信号（ＢＬＳＥＬ）が“Ｈ（ハイレベル）”にあるときには、ＳＥＬ＿ＤＡＴＡフラグが“Ｈ（ハイレベル）”となり、ヒート終了割込み信号（ＨＥ＿ＩＮＴ）受信後、どのブロックも選択しない信号を出力するように制御がなされる。
【００７３】
このとき、どのブロックも選択しない信号の内容はヘッドブロック選択信号生成部１０６に設けられたレジスタの設定によって決まり、制御信号（ＳＥＬ＿ＤＡＴＡ）が“ＯＮ”（“Ｈ（ハイレベル）”）となるのを契機に予めセレクタ１０８内に保持され（図７の８０４）、ヒート終了割込み信号（ＨＥ＿ＩＮＴ）の入力を契機として、その信号を出力するようにセレクタ１０８の出力を切り替えればよい（図７の８０３）。従って、セレクタ１０８からヘッド駆動信号生成部１０７への出力（ＢＬ＿ＤＡＴＡ）はヒート終了割込み信号（ＨＥ＿ＩＮＴ）の入力前はブロック指定信号（ＢＬＥ０〜ＢＬＥ２３）を示す信号（ＨＥＡＴ  ＤＡＴＡ）となるが、ヒート終了割込み信号（ＨＥ＿ＩＮＴ）の入力後はどのブロックも選択しないことを示す信号（ＮＯＳＥＬ＿ＤＡＴＡ）となる。
【００７４】
従って以上説明した実施例に従えば、ヒート終了割込み信号の入力後、速やかにブロック選択の指定が解除されるので、より迅速に偶発的にヒートイネーブル信号が有効になった場合の誤動作防止措置をとることができる。
【００７５】
さらに、以上の実施例において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００７６】
以上の実施例は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００７７】
加えて、以上の実施例のようなシリアルスキャンタイプのものでも、装置本体に固定された記録ヘッド、あるいは装置本体に装着されることで装置本体との電気的な接続や装置本体からのインクの供給が可能になる交換自在のカートリッジタイプの記録ヘッドを用いた場合にも本発明は有効である。
【００７８】
さらに加えて、本発明のインクジェット記録装置の形態としては、コンピュータ等の情報処理機器の画像出力装置として用いられるものの他、リーダ等と組合せた複写装置、さらには送受信機能を有するファクシミリ装置の形態を採るもの等であってもよい。
【図面の簡単な説明】
【００７９】
【図１】本発明の代表的な実施例であるインクジェット記録装置の構成を示す斜視図である。
【図２】図１に示した記録装置の制御構成を示すブロック図である。
【図３】インクタンクと記録ヘッドとが一体的に形成されたヘッドカートリッジの構成を示す外観斜視図である。
【図４】本発明の実施例１に従う記録ヘッドの回路基板の構成と記録装置側のヘッド駆動制御に係わる構成の機能ブロックとを示す図である。
【図５】本発明の実施例１に従う記録ヘッドの駆動シーケンスを示すタイムチャートである。
【図６】本発明の実施例２に従う記録ヘッドの回路基板の構成と記録装置側のヘッド駆動制御に係わる構成の機能ブロックとを示す図である。。
【図７】本発明の実施例２に従う記録ヘッドの駆動シーケンスを示すタイムチャートである。
【図８】従来の記録ヘッドの一般的な回路基板の構成を示す図である。
【図９】シフトレジスタへの記録信号入力のタイミングチャートである。
【図１０】記録信号（ＤＡＴＡ）とラッチ信号（ＬＴ）とヒートイネーブル（ＨＥ）信号との関係を示すタイミングチャートである。
【符号の説明】
【００８０】
１００  回路基板
１０１  シフトレジスタ
１０２  ラッチ回路
１０３  デコーダ
１０４  記録要素部
１０５  ノズル選択信号生成部
１０６  ヘッドブロック指定信号生成部
１０７  ヘッド駆動信号生成部
１０８  セレクタ
６０１  ＭＰＵ
６４０  キャリッジモータドライバ
Ｍ１  キャリッジモータ
【図１】
2006159574.tif 000003
【図２】
2006159574.tif 000004
【図３】
2006159574.tif 000005
【図４】
2006159574.tif 000006
【図５】
2006159574.tif 000007
【図６】
2006159574.tif 000008
【図７】
2006159574.tif 000009
【図８】
2006159574.tif 000010
【図９】
2006159574.tif 000011
【図１０】
2006159574.tif 000012